(57)【要約】【課題】搭載機能を絞り簡単な構造とすることで部品点数を削減し、小型、軽量及び安価な薬剤鑑査支援装置を提供することである。【解決手段】薬剤鑑査支援装置１は、鑑査対象の薬剤が分包袋に収容された状態で載置される鑑査部４と、鑑査部４に載置された分包袋を撮影する撮影部２３と、撮影部２３で撮影された画像に基づいて薬剤の数量を検出する薬剤情報検出部５１ａと、薬剤情報検出部５１ａでの検出結果を表示する表示部３とを備える。【選択図】図９
2016106647.tif 000002
【特許請求の範囲】
【請求項１】
鑑査対象の薬剤が分包袋に収容された状態で載置される鑑査部と、
前記鑑査部に載置された前記分包袋を撮影する撮影部と、
前記撮影部で撮影された画像に基づいて薬剤の数量を検出する薬剤情報検出部と、
前記薬剤情報検出部での検出結果を表示する表示部とを備えた薬剤鑑査支援装置。
【請求項２】
前記画像及び検出結果を記憶する記憶部を備えたことを特徴とする請求項１に記載の薬剤鑑査支援装置。
【請求項３】
前記画像及び検出結果を外部記憶装置へ出力する出力部を備えたことを特徴とする請求項１又は請求項２に記載の薬剤鑑査支援装置。
【請求項４】
前記鑑査部に鑑査対象の分包袋が載置されて押し付けられたことを検出する鑑査操作検出部を備え、
前記鑑査操作検出部での検出結果に基づいて前記撮影部が撮影することを特徴とする請求項１から請求項３の何れか一項に記載の薬剤鑑査支援装置。
【請求項５】
外部の音声を検出する音声検出部を備え、
前記音声検出部での検出結果に基づいて前記撮影部が撮影することを特徴とする請求項１から請求項４の何れか一項に記載の薬剤鑑査支援装置。
【請求項６】
前記表示部の角度を変位させる角度調整機構を備えたことを特徴とする請求項１から請求項５の何れか一項に記載の薬剤鑑査支援装置。
【発明の詳細な説明】
【技術分野】
【０００１】
本発明は、分包紙に一服用分ずつ分包された薬剤の数量を鑑査する薬剤鑑査支援装置に関する。
【背景技術】
【０００２】
調剤薬局では薬剤を分包紙に一服用分ずつ分包している。一般に、粒状やカプセル状などの形状の固形薬剤の分包形態は、分包紙に一服用分ずつ分包された分包袋が複数連なって分包帯となっている。そして、薬剤の鑑査はこの分包帯の状態で行われる。
【０００３】
薬剤を鑑査するための装置として、例えば、自動的に分包内の薬剤を撮影して薬剤の種類及び数量を検出し、その検出結果を保存する機能を備えた薬剤鑑査装置が提案されている（特許文献１参照）。
【先行技術文献】
【特許文献】
【０００４】
【特許文献１】特許第５１９６２８５号公報
【発明の概要】
【発明が解決しようとする課題】
【０００５】
しかしながら、特許文献１に開示されている装置には以下のような問題がある。すなわち、薬剤の種類を自動照合する機能を備えるため、薬剤データの登録、分包機の分包データとの連携、処方箋データとの連携等が必要であり、セットアップ作業に手間が掛かるとともに、鑑査作業前の分包データの授受、入力、確認など、本来の鑑査業務以外の作業が増える。
【０００６】
また、装置による自動照合、計数結果の確認は、自動的に保存されたデータを画面上に呼び出し、使用者が画面を見ながら照合及び計数結果が正しいかを確認した後、鑑査完了の判定を入力する必要があり、手間の掛かる作業となる。
【０００７】
また、分包帯の自動送り、薬剤の重なりのばらし、間違って分包されている分包袋へのマーキング等の複雑な機構が内蔵されているので、動作不良など信頼性に課題がある。また、定期的なメンテナンスで清掃、部品交換等が必要となり、業務の中断、メンテナンスコストの負担が発生する。また、装置が大きいので広い設置スペースが必要である。
【０００８】
本発明の解決しようとする課題は、搭載機能を絞り簡単な構造とすることで部品点数を削減し、小型、軽量及び安価な薬剤鑑査支援装置を提供することである。
【課題を解決するための手段】
【０００９】
本発明の解決しようとする課題は以上の如くであり、次にこの課題を解決するための手段を説明する。
【００１０】
本発明の薬剤鑑査支援装置は、鑑査対象の薬剤が分包袋に収容された状態で載置される鑑査部と、前記鑑査部に載置された前記分包袋を撮影する撮影部と、前記撮影部で撮影された画像に基づいて薬剤の数量を検出する薬剤情報検出部と、前記薬剤情報検出部での検出結果を表示する表示部とを備える。
【００１１】
上記の薬剤鑑査支援装置において、前記画像及び検出結果を記憶する記憶部を備えてもよい。
【００１２】
また上記の薬剤鑑査支援装置において、前記画像及び検出結果を外部記憶装置へ出力する出力部を備えてもよい。
【００１３】
また上記の薬剤鑑査支援装置において、前記鑑査部に鑑査対象の分包袋が載置されて押し付けられたことを検出する鑑査操作検出部を備え、前記鑑査操作検出部での検出結果に基づいて前記撮影部が撮影するようにしてもよい。
【００１４】
また上記の薬剤鑑査支援装置において、外部の音声を検出する音声検出部を備え、前記音声検出部での検出結果に基づいて前記撮影部が撮影するようにしてもよい。
【００１５】
また上記の薬剤鑑査支援装置において、前記表示部の角度を変位させる角度調整機構を備えてもよい。
【発明の効果】
【００１６】
本発明によれば、搭載機能を薬剤の数量を計数する機能に絞り簡単な構造とすることで部品点数を削減し、小型、軽量及び安価な薬剤鑑査支援装置を提供することができる。
【図面の簡単な説明】
【００１７】
【図１】薬剤鑑査支援装置の上方斜視図である。
【図２】薬剤鑑査支援装置の下方斜視図である。
【図３】薬剤鑑査支援装置の正面図である。
【図４】薬剤鑑査支援装置の背面図である。
【図５】薬剤鑑査支援装置の平面図である。
【図６】薬剤鑑査支援装置の底面図である。
【図７】薬剤鑑査支援装置の左側面図である。
【図８】薬剤鑑査支援装置の右側面図である。
【図９】図３のＡ−Ａ線断面図である。
【図１０】鑑査部の動作を説明する図である。
【図１１】鑑査部の動作を説明する図である。
【図１２】表示部の動作を説明する図である。
【図１３】薬剤鑑査支援装置の制御系の構成を示すブロック図である。
【図１４】分包帯の一例を示す図である。
【図１５】液晶パネルに表示される画像の一例を示す図である。
【発明を実施するための形態】
【００１８】
まず、図１〜図８を参照して薬剤鑑査支援装置の外観構成について説明する。図１〜図８は、本発明の一実施形態の薬剤鑑査支援装置の外観図である。図１及び図２に示すように、薬剤鑑査支援装置１は、主に本体部２と、本体部２の前面側に可動に取り付けられた表示部３と、本体部２の下部に可動に取り付けられた鑑査部４とで構成される。
【００１９】
本体部２は、薬剤鑑査支援装置１の前面上部から後方へ延出し、さらに下方へ屈曲した略Ｌ字型の本体部筐体２０と、本体部筐体２０の下部から前方へ突出した平面視略矩形状のベース部２１とを備える。表示部３は、本体部筐体２０の前面に配設され、正面視で本体部筐体２０の前面部と略同形状の表示部筐体３０を備える。鑑査部４は、ベース部２１の上面に配設され、平面視でベース部２１と略同形状の鑑査部筐体４０を備える。
【００２０】
本体部筐体２０の鑑査部４と対向する面（上部の底面）には、円形の開口部２０ａが形成されている。この開口部２０ａの周壁面に沿ってリング状の照明部２２が配設されている。照明部２２は、ＬＥＤ（Ｌｉｇｈｔ  Ｅｍｉｔｔｉｎｇ  Ｄｉｏｄｅ）等の光源を備え、鑑査部４に載置された分包袋へ照射する。そして、照明部２２の中央上方の本体部筐体２０内には、鑑査部４に載置された分包袋を撮影する撮影部２３が配設されている。撮影部２３は、静止画及び／又は動画を撮影するカメラを備えている。カメラはオートフォーカス機能を備えることが好ましい。これにより、分包袋をカメラに近づけることで拡大して見ることができる。
【００２１】
本体部筐体２０の背面には、電源インレット２４及びＵＳＢ（Ｕｎｉｖｅｒｓａｌ  Ｓｅｒｉａｌ  Ｂｕｓ）コネクタ２５が配設される（図４参照）。電源インレット２４は、薬剤鑑査支援装置１へ電源を供給するための端子であり、電源コードを介して商用電源に接続される。ＵＳＢコネクタ２５は、撮影部２３で撮影した画像及び後述する薬剤情報検出部での検出結果をＵＳＢメモリやＰＣ（Ｐｅｒｓｏｎａｌ  Ｃｏｍｐｕｔｅｒ）等の外部記憶装置へ出力する出力部である。電源端子の形状及び出力部の端子形状には特に限定はなく、電源インレット２４やＵＳＢコネクタ２５と同等の機能を有する他の形状の端子を用いてもよい。
【００２２】
本体部筐体２０の右側面には、電源スイッチ２６が配設されている（図８参照）。電源スイッチ２６は、薬剤鑑査支援装置１の電源のオン／オフを切り換えるスイッチである。電源スイッチ２６として本実施形態ではロッカースイッチを用いているが特に限定はなく、同等の機能を有する他のスイッチを用いてもよい。
【００２３】
本体部筐体２０の底面とベース部２１の底面とは面一に形成されており、ベース部２１の底面には、６つの脚部２７が配設されている（図６参照）。脚部２７は、ベース部２１の底面から下方へ突出する略円柱状のゴム部材であり、ベース部２１の底面の四隅と前後方向の間とに配置される。薬剤鑑査支援装置１をテーブル上などに設置した場合に、脚部２７が設置面と接することで安定して設置できる。
【００２４】
表示部筐体３０の前面には略矩形の開口部３０ａが形成されており、この開口部３０ａに液晶パネル３１が配設されている（図３参照）。液晶パネル３１は、有機ＥＬ（Ｅｌｅｃｔｒｏ−Ｌｕｍｉｎｅｓｃｅｎｃｅ）パネル等の各種表示装置であってもよい。前面部が上端から下端側に向かって前方へ突出するように傾斜しており（図７及び図８参照）、この傾斜面に沿って液晶パネル３１の表示面も上向きに傾斜して配置される。よって、標準的な体型の使用者を想定した場合、表示面が視線と略直交するため、視認性がよい。
【００２５】
液晶パネル３１の表面はタッチパネルになっており、使用者による操作を受け付ける。タッチパネルとしては、静電容量方式、抵抗膜方式など各種方式のパネル用いることができる。
【００２６】
表示部３の角度を変位させる角度調整機構として、本体部筐体２０の上面前端と表示部筐体３０の上面後端との間に２つのトルクヒンジ３２が配設される（図５参照）。トルクヒンジ３２は、本体部２の内部のフレーム（不図示）と、表示部３の内部のフレーム（不図示）とに固定される。トルクヒンジ３２は表示部３を回動可能かつ任意の位置で静止可能に支持する。
【００２７】
この構成により、使用者が、例えば表示部３の底面を持って前方へ引くと、トルクヒンジ３２を軸として表示部３が回動し、図１２に示すように、表示部３の角度が変位する。表示部３の上端に回動軸があるので、初期位置（閉じた状態）から表示部３を回動させることにより、表示部３の表示面はより上向き（開いた状態）となる。よって、使用者の身長、座高、視力等に応じて表示部３の位置（角度）を調整することで、表示部３を見やすい位置で固定できる。その結果、視認性が向上し、作業性が向上する。また、輸送する際には、表示部３を初期位置にして梱包することでコンパクトにすることができ、輸送コストを削減できる。
【００２８】
なお、表示部３が初期位置にある状態で互いに密着する本体部筐体２０の前面と表示部３の背面とは、それぞれ本体部筐体２０、表示部筐体３０で覆われており、使用者が内部の電気部品に触れることがないようになっている。また、トルクヒンジ３２の位置には特に限定はなく、表示部３の下端や表示部３の背面中央付近に設けてもよい。また、表示部３の角度を変位させる角度調整機構としては、トルクヒンジ３２に限定されることはなく、ギヤやスライドバーなど他の機構を用いてもよい。
【００２９】
鑑査部筐体４０の上面には略矩形の開口部４０ａが形成されており、この開口部４０ａに透光板４１が配設されている（図１参照）。透光板４１は、鑑査対象の薬剤を載置するための鑑査台となる。透光板４１は透光板４１の下方に配設される照明部４２（図９参照）からの光を透光可能な材料であれば特に限定はなく、例えばアクリル等の樹脂やガラスを用いることができる。
【００３０】
次に、図９を参照して薬剤鑑査支援装置１の内部構成について説明する。図９は、図３のＡ−Ａ線断面図である。
【００３１】
薬剤鑑査支援装置１は、本体部筐体２０に、上述した照明部２２と、撮影部２３と、電源インレット２４と、ＵＳＢコネクタ２５と、電源スイッチ２６の他に、電源部２９と、記憶部５０と、制御部５１とを収容している。
【００３２】
また、薬剤鑑査支援装置１は、ベース部２１に、軸受部５２と、付勢部５３と、鑑査操作検出部５４とを収容している。また、薬剤鑑査支援装置１は、表示部筐体３０に、上述した液晶パネル３１を収容している。また、薬剤鑑査支援装置１は、鑑査部筐体４０に、照明部４２と、回動軸４３と、音声検出部４５とを収容している。
【００３３】
電源部２９は、電源回路を含む電源ユニットである。電源部２９は、電源スイッチ２６を介して電源インレット２４に接続されており、商用電源から給電された交流電流を直流に変換し、薬剤鑑査支援装置１内部の各部や基板、回路に適切な電圧で電力を供給する。電源部２９は、電源スイッチ２６がオン状態に操作されることで電力の供給を開始する。
【００３４】
記憶部５０は、ＳＳＤ（Ｓｏｌｉｄ  Ｓｔａｔｅ  Ｄｒｉｖｅ）等の各種記憶装置で構成され、制御部５１の指示に基づいて動作する。制御部５１は、組み込み用途のＣＰＵボード等の各種制御装置で構成され、薬剤鑑査支援装置１全体を制御する。
【００３５】
軸受部５２は、ベース部２１の内部のフレーム５５に一対設けられている。一対の軸受部５２は、鑑査部４の後端付近の下方に左右対称に位置し、回動軸４３を回動可能に支持するための左右に貫通する孔を有する。軸受部５２は、例えば、金属製のフレーム５５を板金加工する際に、上記の孔を形成し、孔を含む周囲を切り起こすことで形成できる。
【００３６】
回動軸４３は、棒状金属等の部材であり、鑑査部４の内部のフレーム４４の底面に設けられる。回動軸４３は、鑑査部４の後端付近に左右に亘って位置し、軸受け部５２の孔に挿通されて回動可能に支持される。回動軸４３が回動するとフレーム４４、つまり鑑査部４が回動する。回動時の鑑査部４の動作距離は、鑑査部４とベース部２１との隙間のわずかな距離である。したがって、鑑査部４は上下動するといえる。
【００３７】
音声検出部４５は、マイクロフォン等からなり、外部の音声（使用者の声）を検出する。この音声の検出結果に基づいて撮影部２３が撮影する。例えば、使用者の「撮影」という言葉に反応して、撮影部２３が撮影する。マイクロフォンには感度調整機能を設けてもよい。また、撮影のトリガーとなる言葉を記憶部５０等に登録できるようにし、検出した音声を制御部５１で判別するようにしてもよい。
【００３８】
付勢部５３は、ベース部２１から鑑査部４に亘って設けられている。付勢部５３は、鑑査部４の前端付近に左右一対で配置される。付勢部５３は、ベース部２１のフレーム５５から上方へ突出するベース部側凸部５３ａと、鑑査部４の内部のフレーム４４から下方へ突出する鑑査部側凸部５３ｂとが作動空間を有して対向し、両凸部５３ａ、５３ｂに亘って圧縮バネとしてのコイルスプリング５３ｃが挿入されて構成される。
【００３９】
図１０に示すように、ベース部側凸部５３ａと鑑査部側凸部５３ｂとが作動空間を有している状態が、付勢部５３の初期位置である。そして、使用者により鑑査部４が下方へ押し付けられると、コイルスプリングが縮んで鑑査部４が下降し、ベース部側凸部５３ａと鑑査部側凸部５３ｂとが接触する位置で鑑査部４の動作が止まる（図１１の状態）。次に、使用者が鑑査部４から手を放すと、コイルスプリング５３ｃが伸びて鑑査部４が上昇し、ストッパー等により初期位置で鑑査部４の動作が止まる（図１０の状態）。
【００４０】
鑑査操作検出部５４は、鑑査部４に鑑査対象の分包袋が載置されて押し付けられたことを検出する部分である。本実施形態では、鑑査操作検出部５４として鑑査部４の下降によって押下されるスイッチを用いている。他にも、鑑査操作検出部５４としては、鑑査部４の下降を検出する光学センサや、鑑査部４の押圧を検出する圧力センサなどを用いることができる。
【００４１】
照明部４２は、鑑査部４に載置された分包袋へ照射するためのものであり、透光板４１の下方に配設される。本実施形態では、照明部４２としてＬＥＤ等の光源を備えたフラット型の照明装置を用いており、照明部４２はフレーム４４上に固定されている。
【００４２】
次に、薬剤鑑査支援装置１の制御系の動作について説明する。図１３は、薬剤鑑査支援装置１の制御系の構成を示すブロック図である。制御部５１は、撮影部２３で撮影された画像に基づいて薬剤の数量を検出する薬剤情報検出部５１ａを備える。薬剤情報検出部５１ａは、撮影部２３で撮影された画像、すなわち分包袋の画像から、分包袋内の薬剤を認識するアルゴリズムを用いて薬剤の数量を検出し、その計数結果を記憶部５０に記憶させるとともに、液晶パネル３１に表示する。加えて、薬剤情報検出部５１ａは、その分包袋の画像内のそれぞれの薬剤に計数した値を重畳して鑑査済画像を生成し、その鑑査済画像を記憶部５０に記憶させるとともに、液晶パネル３１に表示する。
【００４３】
また、制御部５１は、照明部２２、撮影部２３、電源部２９、ＵＳＢコネクタ２５、液晶パネル３１、照明部４２、音声検出部４５、記憶部５０、鑑査操作検出部５４を制御する。制御部５１の制御により照明部２２は、少なくとも撮影部２３で撮影する際には照射する。例えば、電源スイッチ２６がオン状態のときには常時照射するようにしてもよいし、撮影部２３の撮影タイミングに合わせて照射するようにしてもよい。照明部４２も照明部２２と同様に制御される。
【００４４】
制御部５１の制御により撮影部２３は、鑑査部４の押下による鑑査操作検出部５４での検出をトリガーとして撮影する。換言すると、使用者による鑑査部４の押下が、カメラのシャッターボタンの押下に相当する。また、制御部５１の制御により撮影部２３は、液晶パネル３１に表示されたシャッターボタンのタッチ操作をタッチパネルが検出し、この検出をトリガーとして撮影する。また、制御部５１の制御により撮影部２３は、音声検出部４５で特定の音声が検出されたことをトリガーとして撮影する。なお、鑑査操作検出部５４、シャッターボタン又は音声検出部４５の何れか１つ又は２つを備える構成であってもよい。
【００４５】
制御部５１の制御により電源部２９は、商用電源から給電された交流電流を直流に変換し、薬剤鑑査支援装置１内部の各部や基板、回路に適切な電圧で電力を供給する。ＵＳＢコネクタ２５には外部記憶装置が接続され、制御部５１の制御により、撮影部２３で撮影した画像や薬剤情報検出部５１ａでの検出結果が外部記憶装置へ出力される。
【００４６】
制御部５１の制御により液晶パネル３１は、薬剤情報検出部５１ａでの検出結果、例えば、撮影した分包袋の画像、鑑査済画像、薬剤の数量などを表示する。表示する検出結果は、薬剤情報検出部５１ａが直接液晶パネル３１へ出力してもよいし、記憶部５０から読み出してもよい。また、液晶パネル３１のタッチパネルは、使用者によるタッチ操作の検出結果を制御部５１へ出力する。
【００４７】
制御部５１の制御により記憶部５０は、薬剤情報検出部５１ａでの検出結果を記憶し、要求に応じて検出結果を出力する。鑑査操作検出部５４は、鑑査部４に鑑査対象の分包袋が載置されて押し付けられたことを検出し、検出結果を制御部５１へ出力する。
【００４８】
なお、本実施形態では１つの制御部５１が薬剤鑑査支援装置１の全体を制御する構成としたが、複数の制御部を備え、各制御部で分担して制御する構成としてもよい。例えば、主制御部と、液晶パネル制御部と、撮影部制御部とを備える構成とすることができる。この場合、主制御部が液晶パネル制御部と撮影部制御部とその他の構成とを制御し、液晶パネル制御部が主制御部からの指示に基づいて液晶パネル３１を制御し、撮影部制御部が主制御部からの指示に基づいて撮影部２３を制御する。
【００４９】
次に、薬剤鑑査支援装置１を用いた鑑査方法について説明する。図１４は、分包帯の一例を示す図であり、図１５は、液晶パネルに表示される画像の一例を示す図である。
【００５０】
図１４に示すように、分包帯６０は複数の分包袋６１がミシン目６０ａを介して連なったものである。分包帯６０は、帯状の分包紙を半分に折り、粒状やカプセル状などの形状の固形薬剤６２を一服用分ずつ内包させて三方をシールし、ミシン目６０ａを形成することで作製される。
【００５１】
このような分包帯６０の薬剤を鑑査するには、まず、薬剤鑑査支援装置１をテーブルに設置し、使用者は薬剤鑑査支援装置１に正対して着席（又は直立）する。次に、表示部３の底面を持って前方へ引き、見やすい位置になるように表示部３の角度を調整する。続いて電源スイッチ２６をオンにする。そうすると、照明部２２、４２が点灯し、液晶パネル３１に撮影部２３で撮影された映像（動画）がリアルタイムで表示される。
【００５２】
この状態で鑑査対象の分包帯６０を透光板４１上に横長の状態に載置し、透光板４１上の分包袋６１の左右端付近（鑑査部４の上面の左右端付近）を押し付ける。これにより、鑑査部４が下降し、それを鑑査操作検出部５４が検出する。そして、鑑査操作検出部５４の検出に応じて撮影部２３により分包袋６１の静止画が撮影される。
【００５３】
次に、撮影された画像は薬剤情報検出部５１ａで処理されて鑑査済画像が生成され、鑑査済画像が液晶パネル３１に表示されるとともに、記憶部５０に記憶される。鑑査済画像は、例えば図１５に示すような画像である。図１５では、表示画像７０に、鑑査済画像７１と、計数結果７２と、シャッターボタン７３と、画像を拡大表示させるための拡大ボタン７４と、画像を縮小表示させるための縮小ボタン７５と、鑑査済画像７１の表示を終了させるための終了ボタン７６とが配置されている。
【００５４】
鑑査済画像７１は、撮影された分包袋６１の画像内のそれぞれの薬剤の画像上に、薬剤を計数した値を重畳した画像である。図１５では、それぞれの薬剤の画像に１〜１５の計数値が重畳されている。そして、最大の計数値が計数結果７２として鑑査済画像７１の下方に表示されている。使用者は鑑査済画像７１を見て、全ての薬剤上に数値が重畳されていることを確認することで、計数結果７２が正しいと判断することができる。
【００５５】
使用者は、シャッターボタン７３をタッチ操作することでも分包袋６１を撮影することができる。また、使用者は、鑑査済画像７１の薬剤が小さくて見にくい場合に拡大ボタン７４をタッチ操作することで、鑑査済画像７１を拡大表示させることができる。そして、拡大した画像を縮小したい場合には縮小ボタン７５をタッチ操作することで、鑑査済画像７１を縮小表示させることができる。
【００５６】
使用者は、１つの分包袋６１の鑑査が終了すると、終了ボタン７６をタッチ操作する。これにより、鑑査済画像７１の表示から撮影部２３で撮影されるリアルタイムの映像（動画）に切り替わる。よって、使用者は次の分包袋６１の撮影及び鑑査作業に移ることができる。
【００５７】
本実施形態の薬剤鑑査支援装置１によれば、搭載機能を薬剤の計数に絞り簡単な構造とすることで、部品点数を削減し、小型、軽量及び安価な薬剤鑑査支援装置１を実現することができる。薬剤鑑査支援装置１によれば、例えば、薬剤データの登録、分包機の分包データとの連携、処方箋データとの連携等が不要であるため、セットアップ作業に手間が掛かることがなく、鑑査作業前の分包データの授受、入力、確認など、本来の鑑査業務以外の作業も不要となる。
【００５８】
また、薬剤鑑査支援装置１によれば、分包袋６１を使用者が鑑査部４に載置するので、分包袋の自動送り機構が不要であるため、小型、軽量及び安価であることに加えて、自動送り機構の動作不良のおそれがなくなり、定期的なメンテナンスも不要となる。
【００５９】
また薬剤鑑査支援装置１によれば、分包袋６１を使用者が鑑査部４に載置することになるが、従来と大きく変わらない簡単な操作で計数結果を確認することができるので、使い勝手が良い。また、操作に習熟する必要がないので、複数の使用者で必要な時にすぐに使用できる。
【００６０】
また薬剤鑑査支援装置１によれば、分包袋６１の鑑査作業の中で時間が掛かる薬剤の計数を自動化できるので、鑑査時間を短縮することができる。
【００６１】
また薬剤鑑査支援装置１によれば、拡大ボタン７４を備えることにより、薬剤を見やすくし、目の疲れを軽減することができる。
【００６２】
また薬剤鑑査支援装置１によれば、鑑査中に計数間違いなどの疑義が生じた場合に、その場で対処することができ、「後から作業」をなくすことができる。
【００６３】
また薬剤鑑査支援装置１によれば、薬剤の計数結果を外部記憶装置に記憶できるので、後からＰＣ上で確認することができる。
【００６４】
また薬剤鑑査支援装置１によれば、分包袋６１を鑑査部４に載置して両手で押さえ、分包袋６１を鑑査部４に押し付けて又は使用者の声で撮影することができるので、分包袋６１が鑑査部４上で浮くことがなく、ピントがずれることがない。また、分包袋６１が鑑査部４で静止した状態で撮影することができるので、ブレが生じることもない。また、撮影時に分包袋６１内で薬剤が重なったり立ったりすることを抑制することもでき、撮影画像の認識精度を向上させることができる。
【符号の説明】
【００６５】
１      薬剤鑑査支援装置
３        表示部
４        鑑査部
２３      撮影部
２５      ＵＳＢコネクタ（出力部）
３２      トルクヒンジ（角度調整機構）
４５      音声検出部
５０      記憶部
５１ａ    薬剤情報検出部
５４      鑑査操作検出部
【図１】
2016106647.tif 000003
【図２】
2016106647.tif 000004
【図３】
2016106647.tif 000005
【図４】
2016106647.tif 000006
【図５】
2016106647.tif 000007
【図６】
2016106647.tif 000008
【図７】
2016106647.tif 000009
【図８】
2016106647.tif 000010
【図９】
2016106647.tif 000011
【図１０】
2016106647.tif 000012
【図１１】
2016106647.tif 000013
【図１２】
2016106647.tif 000014
【図１３】
2016106647.tif 000015
【図１４】
2016106647.tif 000016
【図１５】
2016106647.tif 000017